(57)【要約】【課題】タウンカーライフマルチコンテンツデータ形式での路車間通信に対応する路側装置１５において、嗜好データテーブルのバージョン変更に対して、適切なデフォルト値を設定して、ユーザの入力の手間を軽減する。【解決手段】路側装置１５は、旧版の嗜好データテーブルの項目のユーザ嗜好情報を受け継がせる新版の嗜好データテーブルの項目があった場合の対応表を備える。該対応表は、例えば旧版の嗜好データテーブルの項目番号"５２"，"５３"，"６２"，"６３"が新版の嗜好データテーブルの項目番号"５２"，"５３"，"６２"，"６３"に対応付けられる。ＩＴＳ車載器１７は、新版の嗜好データテーブルの送信先のユーザに対して、その項目番号に対応付けられている旧版の項目番号の項目についての該ユーザの嗜好データを新版の該項目のデフォルト値にしてから、該ユーザのＩＴＳ車載器１７へ送信する。【選択図】図８
2009199371.tif 000002
【特許請求の範囲】
【請求項１】
無線通信エリア内に進入した車載器へ嗜好データテーブルの情報をそのバージョン情報と共に送信するとともに、前記車載器からは該嗜好データテーブルに対するユーザ嗜好情報を含むアップリンク情報を受信する路側装置において、
旧版の嗜好データテーブルに対するユーザ嗜好情報を記憶装置に保存させる保存手段、
新版の嗜好データテーブルの項目の内、旧版から改訂のあった項目を探索する改訂項目探索手段、
旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を旧版の嗜好データテーブルの対応項目のユーザ嗜好情報に設定するデフォルト値設定手段、及び
デフォルト値を設定した新版の嗜好データテーブルの情報を含む送信情報を前記車載器へ送信する送信情報送信手段、
を備えることを特徴とする路側装置。
【請求項２】
前記デフォルト値設定手段は、前記対応関係からデフォルト値を設定できなかった改訂項目については、アップリンク情報に基づきデフォルト値を設定することを特徴とする請求項１記載の路側装置。
【請求項３】
前記送信手段は、どれが改訂項目であるかを示す情報を新版の嗜好データテーブルの情報とともに送信情報に含めて送信することを特徴とする請求項１又は２記載の路側装置。
【請求項４】
無線通信エリア内に進入した車載器へ嗜好データテーブルの情報をそのバージョン情報と共に送信するとともに、前記車載器からは該嗜好データテーブルに対するユーザ嗜好情報を含むアップリンク情報を受信する路側装置の制御方法であって、
旧版の嗜好データテーブルに対するユーザ嗜好情報を記憶装置に保存させる保存ステップ、
新版の嗜好データテーブルの項目の内、旧版から改訂のあった項目を探索する改訂項目探索ステップ、
旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を旧版の嗜好データテーブルの対応項目のユーザ嗜好情報に設定するデフォルト値設定ステップ、及び
デフォルト値を設定した新版の嗜好データテーブルの情報を含む送信情報を前記車載器へ送信する送信情報送信ステップ、
を備えることを特徴とする制御方法。
【請求項５】
請求項１〜３のいずれかに記載の路側装置の各手段としてコンピュータを機能させるプログラム。
【発明の詳細な説明】
【技術分野】
【０００１】
本発明は、ＤＳＲＣ（Dedicated Short Range Communication：狭域通信）等の路車間通信を利用して嗜好データテーブルに係る情報を送受する路側装置、制御方法及びプログラムに関する。
【背景技術】
【０００２】
特許文献１はＤＳＲＣを利用する路車間通信システムを開示する（特許文献１の図１）。該路車間通信システムでは、路側機の通信エリア内に進入した自動車の車載器は、路側機から広告情報を電波で受信して、ナビ部のディスプレイに表示するようにしている（特許文献１の段落００２４）。また、車載器では、広告情報に含まれる位置情報、ＵＲＬ及び電話番号に基づき自動的に目的地設定、ＨＰ接続及びダイヤルが実施されるようになっている（特許文献１の図４のＳ１２，Ｓ１４，Ｓ１６）。
【０００３】
特許文献２は、車載情報端末装置が情報センタから広告情報と共に、該広告情報に対応付けられた地域情報及び時間帯情報を電波で受信し（特許文献２の図１）、該広告情報（特許文献２の図４）を該地域情報に係る地域及び該時間帯情報に係る時間帯に表示することを開示する（特許文献２の図５のＳ１４〜Ｓ１６）。
【０００４】
特許文献３はＤＳＲＣを利用した広告配信ステムを開示する（特許文献３の図１）。該広告配信システムでは、嗜好情報が車載器から路側装置へ通知され（特許文献３の段落００１７）、路側装置は該嗜好情報に基づき選別した広告情報を車載器へ送信し、車載器がこれを再生するようになっている（特許文献３の段落００２８，００２９）。
【特許文献１】特開２００１−１０１５７８号公報
【特許文献２】特開２００４−２７９５０９号公報
【特許文献３】特開２００５−１３４７０７号公報
【発明の開示】
【発明が解決しようとする課題】
【０００５】
データ形式のデータは、基本的には５．８ＧＨｚ帯ＤＳＲＣ通信における個別通信によるプッシュ型情報配信方式で配信され、ダウンリンク情報には嗜好データテーブルが含められているとともに、アップリンク情報には該嗜好データテーブルに対するユーザの回答結果としてのユーザ嗜好情報が含められている。路側装置は、ユーザ嗜好情報に基づきユーザごとに適切な広告情報を選別し、これを車載器へ送信する。
【０００６】
嗜好データテーブルは、サービス事業者の都合により改訂されることがある。嗜好データテーブルにおいて、ユーザが自分の嗜好の有無を入力しなければならない項目は計９６個あり、ユーザはそのすべてを一々、入力すると、大変な手間になる。新版の嗜好データテーブルの項目には、改訂のなかった項目も含まれ、それらについては、旧版の嗜好データテーブルのユーザ嗜好情報をそのままデフォルト値を設定して、ユーザの手間を軽減することができるが、改訂項目についてのデフォルト値設定は適切な対策が望まれる。
【０００７】
特許文献１〜３は、新版の嗜好データテーブルに対するユーザ入力の手間を改善する技術についてはなんら示唆していない。
【０００８】
本発明の目的は、新版の嗜好データテーブルの項目に適切なデフォルト値を付与することができる路側装置、制御方法及びプログラムを提供することである。
【課題を解決するための手段】
【０００９】
本発明によれば、旧版の嗜好データテーブルに対するユーザ嗜好情報を記憶装置に保存しておき、新版の嗜好データテーブルの項目と、それがデフォルト値として受け継ぐユーザ嗜好情報をもつ旧版嗜好データテーブルの項目との項目対応関係が登録される。そして、ユーザに新版の嗜好データテーブルの項目にデフォルト値を付けて送る場合には、項目対応関係に基づき旧版嗜好データテーブルの対応項目に対する該ユーザの嗜好情報を求め、該求めた嗜好情報を新版の嗜好データテーブルの該項目のデフォルト値にする。
【００１０】
本発明の路側装置は、無線通信エリア内に進入した車載器へ嗜好データテーブルの情報をそのバージョン情報と共に送信するとともに、前記車載器からは該嗜好データテーブルに対するユーザ嗜好情報を含むアップリンク情報を受信するのであって、次のものを備えている。
旧版の嗜好データテーブルに対するユーザ嗜好情報を記憶装置に保存させる保存手段、
新版の嗜好データテーブルの項目の内、旧版から改訂のあった項目を探索する改訂項目探索手段、
旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を旧版の嗜好データテーブルの対応項目のユーザ嗜好情報に設定するデフォルト値設定手段、及び
デフォルト値を設定した新版の嗜好データテーブルの情報を含む送信情報を前記車載器へ送信する送信情報送信手段。
【００１１】
本発明の制御方法は、無線通信エリア内に進入した車載器へ嗜好データテーブルの情報をそのバージョン情報と共に送信するとともに、前記車載器からは該嗜好データテーブルに対するユーザ嗜好情報を含むアップリンク情報を受信する路側装置のものであって、次のステップを備えている。
旧版の嗜好データテーブルに対するユーザ嗜好情報を記憶装置に保存させる保存ステップ、
新版の嗜好データテーブルの項目の内、旧版から改訂のあった項目を探索する改訂項目探索ステップ、
旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を旧版の嗜好データテーブルの対応項目のユーザ嗜好情報に設定するデフォルト値設定ステップ、及び
デフォルト値を設定した新版の嗜好データテーブルの情報を含む送信情報を前記車載器へ送信する送信情報送信ステップ。
【００１２】
本発明のプログラムは、本発明の前述の路側装置の各手段としてコンピュータを機能させる。
【発明の効果】
【００１３】
本発明によれば、新旧の嗜好データテーブルの項目対応関係に基づき新版の嗜好データテーブルの改訂項目について適切なデフォルト値を設定して、新版の嗜好データテーブルに対するユーザの入力の手間を軽減することができる。
【発明を実施するための最良の形態】
【００１４】
図１はタウンカーライフナビマルチコンテンツ形式のデータに基づく路車間ＤＳＲＣシステム１０の概略図である。路側機１１は、サーバ１２と共に路側装置１５を構成し、有線又は無線でサーバ１２へ接続されている。サーバ１２は、さらに、インタネット等のネットワークを介して別のサーバとデータを送受自在になっている。路側機１１は、長さが数ｍ〜３０ｍのエリアに存在する自動車１３に搭載されているＩＴＳ車載器１７とは５．８ＧＨｚ 帯の電波を使ってデータを送受する。路側機１１及びサーバ１２は路側装置１５を構成する。ＩＴＳ車載器１７はＤＳＲＣ部１８及びナビ部１９を有している。
【００１５】
図２はデータ伝送態様の説明図である。ダウンリンクでは、データをその種類に応じて分類し、分類ごとにＩＤコード"００"，"０１"，"０２"，〜を割り振っている。マルチコンテンツ形式のデータ伝送では、データが情報グループを単位に括られ、各情報グループは先頭にＩＤ＝"００"の分類データをもつ。ＩＤ＝"００"の分類データは、その情報グループに含まれているＩＤにはどのようなものがあるかの構成情報となっている。
【００１６】
図３はダウンリンクで使用する各ＩＤに割り当てる分類表である。ＩＤ＝００は構成ＩＤ情報（データを構成するIDを記述する領域）の分類となっている。ＩＤ＝０１は事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）が含まれる。
【００１７】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）が含まれる。
【００１８】
ＩＤ＝０３は、ＩＤ＝０２と同様に、コンテンツの分類となっており、即時再生/蓄積コード（受信後のコンテンツ再生動作を表すコード）、及び再生条件コード（情報提供エリアでのコンテンツ再生条件を示すコード）が含まれる。
【００１９】
ＩＤ＝０４は、有効期限の分類となっており、開始年月日時分秒（コンテンツの有効期限）、及び終了年月日時分秒（コンテンツの有効期限）が含まれる。ＩＤ＝０５は、提供時間の分類となっており、営業時間（コンテンツ提供元の営業時間）、及び情報提供時間（コンテンツ提供時間）が含まれる。
【００２０】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）が含まれる。
【００２１】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報）、圧縮音声データポップアップ再生する圧縮音声のデータ）、及び音声再生順（ポップアップ再生する音声データの再生順番を表すコード）が含まれる。
【００２２】
ＩＤ＝３０は、遷移情報の分類となっており、計８個の次再生情報コード（ 画面遷移情報）が含まれる。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）が含まれる。
【００２３】
ＩＤ＝５０は、駐車場情報の分類となっており、計１２７個の駐車情報について、駐車場ＩＤ（駐車場を特定できるＩＤ）、詳細情報（駐車場の動的詳細情報）、特記事項（駐車場の特記事項）、及び特記事項表音文字列（ナビ発話用特記事項表音文字列）が含まれる。ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００２４】
ＩＤ＝８０は、嗜好データの分類であり、計１２７個の各嗜好データのテーブルについて、嗜好データバージョン（嗜好データのテーブルのバージョン情報）、嗜好データテーブル（ 嗜好データのテーブルの表示用テキスト情報）、表音文字列（嗜好データのテーブルの発話用表音文字列情報）、及び詳細情報（嗜好データのテーブルの詳細情報）が含まれる。
【００２５】
図４は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、無線又は有線で行われる。
【００２６】
図５はＩＴＳ車載器１７から路側装置１５へ送られるアップリンク情報のデータ概説明略図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００２７】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００２８】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入するのに伴い、Ｓ１１では、路側機１１−ＤＳＲＣ部１８間でＤＳＲＣ接続処理が実施される。
【００２９】
Ｓ１１のＤＳＲＣ接続処理が終了すると、Ｓ１２，Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３０】
サーバ１２は、ＤＳＲＣ部１８の一意に付番された車載器IDを読み取りＩＴＳ車載器１７のユーザが会員か非会員かを判別したり、通信確立後にDSRC部18から通知されるクライアントインフォメーションに基づき、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３１】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、ＩＴＳ車載器１７のユーザが該サービス事業者の会員と判断すると、アップリンク情報をＤＳＲＣ部１８に書き込むのに対し、会員でなければ、何もしない。
【００３２】
Ｓ２４では、サーバ１２は、路側機１１及びＤＳＲＣ部１８を経由してデフォルトのコンテンツ（例：公共サービス情報等）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００３３】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。Ｓ３４では、蓄積型コンテンツの配信終了を通知する。ＩＴＳ車載器１７を搭載する自動車１３は、配信終了に伴い路側機１１との通信エリアから退出する。
【００３４】
図６は路側装置１５からＩＴＳ車載器１７へ送信する嗜好データテーブルの一例を示す。嗜好データテーブルは図４のＳ１８で路側装置１５からＩＴＳ車載器１７へ送信される。嗜好データテーブルの項目はデータ番号＝０〜１２７の計１２８個存在し、各データ番号に対応付けて表示用テキスト、表示用ネスト、対象識別子、デフォルト値等が存在する。表示用ネスト＝０はトップの階層を意味し、数値の増大に連れて下の階層となる。対象識別子とは、各データ番号の項目がユーザによる嗜好の有無登録の対象になっているか否かを示すフラグであり、後述の図７から分かるように、対象識別子＝１，０は該項目がそれぞれユーザによる嗜好の有無登録の対象及び非対象となっていることを意味する。デフォルト値＝０，１はそれぞれユーザが項目について嗜好無し及び嗜好有りを意味している。図６では、対象識別子＝１の"洋画"及び"邦画"のデフォルト値は０となっている。
【００３５】
図７は図６の嗜好データテーブルに基づきＩＴＳ車載器１７において生成された嗜好データテーブルである。図６との対比から分かるように、表示用ネストの値が大きくなるほど、小分類となる。また、対象識別子＝１となっていた表示テキストのみが嗜好データとしてユーザによる嗜好の有無登録の対象になる。図６では、"洋画"及び"邦画"共にデフォルト値＝０となっているので、最初の嗜好データでは、"洋画"及び"邦画"共に０（該０は実際の画面例では四角の欄にチェック無しで表示される。）になっている。それに対して、図７では、ユーザが"洋画"について嗜好有りのチェックを付け、嗜好データ＝１とされている。なお、図７では、ユーザは、一番下の階層の項目についてのみ、嗜好の有無を登録するようになっているが、対象識別子＝１をそれより上の階層の項目に付ければ、大分類、中分類の項目についても嗜好の有無を登録することができるようになっている。
【００３６】
図８は新旧のバージョンの嗜好データテーブルを対比して示す図である。（ａ）の嗜好データテーブルは旧版であり、（ｂ）の嗜好データテーブルは新版である。旧版の"道北"、"道南"、"西欧"及び"東欧"が新版ではそれぞれ"稚内"、"函館"、"西ヨーロッパ"及び"東ヨーロッパ"に改訂されている。また、路側装置１５は、旧版の嗜好データテーブルに対して、ユーザごとに該ユーザが入力して前回のエリアイン時に受信したアップリンク情報を記憶装置に記憶している。すなわち、図８（ａ）の旧版の"道北"、"道南"、"西欧"及び"東欧"には、いずれもチェックが付けられているが、路側装置１５はこのユーザ嗜好情報を記憶装置に記憶している。
【００３７】
路側装置１５のサービス事業者は、配信する嗜好データテーブルのバージョンを変更する場合、新旧の両版とも自分か作成したものであるから、新版の嗜好データテーブルにおける改訂項目が旧版の嗜好データテーブルにおけるどの項目に同一又は類似するものであって、旧版のユーザ嗜好情報を新版へ引継ぎ可能となっているかを判断できる。なお、「類似」には、実質的な内容が同一であっても、半角と全角のテキストが違っている場合、漢字と平仮名との表記が違っている場合を含み、「同一」とはテキストの完全同一とする。
【００３８】
路側装置１５は、旧版の嗜好データテーブルの項目のユーザ嗜好情報を受け継がせる新版の嗜好データテーブルの項目があった場合の対応表を備える。該対応表における新旧の版の嗜好データテーブルの項目対応関係は、新旧の版の嗜好データテーブルの項目の内容が同一又は類似の関係にあるものである。該対応表は通常、全部のユーザに共通とされる。具体的には、新版の嗜好データテーブルの各改訂項目の項目番号に対し、該改訂項目に対応する旧版の嗜好データテーブルの項目の項目番号を対応付ける。図８の例では、対応表は、旧版の嗜好データテーブルの項目番号"３２"，"３３"，"５２"，"５３"が新版の嗜好データテーブルの項目番号"３２"，"３３"，"５２"，"５３"に対応付けられる。この例では、新旧の嗜好データテーブルの対応番号同士の数値が同一であるが、相違していてもかまわないし、一般には相違している。
【００３９】
路側装置１５は、アップリンク情報に含まれるユーザＩＤに基づきその送信元のＩＴＳ車載器１７のユーザを識別し、該ユーザの旧版の嗜好データテーブルのユーザ嗜好情報を検索してから、該ユーザについて、対応表に基づき新版の各項目番号のデフォルト値を、旧版の嗜好データテーブルの対応項目番号の嗜好データとする。図８の例では、旧版バージョンの項目"道北"、"道南"、"西欧"及び"東欧"の嗜好データはそれぞれ"１"，"１"，"１"，"１"であるので、路側装置１５は、新版の"稚内"、"函館"、"西ヨーロッパ"及び"東ヨーロッパ"のデフォルト値をそれぞれ"１"，"１"，"１"，"１"に設定する。
【００４０】
図９は路側装置１５が自動車１３のエリアイン時に自動車１３の路側装置１５からアップリンク情報に含めて受信する自動車１３の立寄り地点情報を路側装置１５が整理した後の情報を示す。図９において、"オートフロンツ"、"ＯＫ堂"及び"丸八屋"はそれぞれカー用品販売、レンタルビデオ及び釣具業の業者名を仮定している。この自動車１３は、各業者の店へ図９に示す回数、立寄っている。路側装置１５は、各立寄り地点について最後に立寄った時間の情報は入手しなくてもよい。
【００４１】
路側装置１５は、実際には、これら立寄り地の具体的名前をアップリンク情報から知るのではなく、アップリンク情報の立寄り地情報は例えば緯度経度で取得する。したがって、路側装置１５は、これら緯度経度を地図データと照合して、立寄り地の具体的な店名を知ることになる。
【００４２】
図１０は路側装置１５が、設定している立寄り地点と嗜好データとの関係を示している。路側装置１５は、図９のデータから所定回数、例えば３回以上の立寄り実績のある業者を選別する。図９の場合、"オートフロンツ"と"丸八屋"が選別される。なお、路側装置１５は、ＩＴＳ車載器１７から入手した立寄り地の緯度経度を自分の地図データと照合して、該緯度経度の地点がオートフロンツ"であるかとか"丸八屋"であるとかを把握する。そして、路側装置１５のサービス事業者は、選別した各業者に関係して自分の今回の新版の嗜好データテーブルの表示用テキストとして使っている語句を嗜好データとして選出する。
【００４３】
路側装置１５は、図９の情報元のユーザの新版嗜好データテーブルのデフォルト値設定では、新版の嗜好データテーブルにおいて図１０の選出語句と同一となっている表示用テキストの項目のデフォルト値を"１"、すなわち、嗜好有りとする。こうして、デフォルト値を付けた嗜好データテーブルの情報がバージョン情報と共に情報元のユーザのＩＴＳ車載器１７へ送信される。ＩＴＳ車載器１７では、該嗜好データテーブルがナビ部１９の画面に表示されて、ユーザは、変更の必要のない項目については入力無しで済ませつつ、変更の必要な項目のみについて、チェックを付けたり（嗜好有りとしたり）、チェックを外したり（嗜好無しとしたり）する。
【００４４】
図１１は路側装置１５が新版の嗜好データテーブルにおける改訂項目について特別の情報をＩＴＳ車載器１７へ送信した場合にＩＴＳ車載器１７で表示される新旧の版の嗜好データテーブルの表示例を示している。図（ａ）の嗜好データテーブルは旧版であり、（ｂ）の嗜好データテーブルは新版である。図８に関連して説明したように、路側装置１５は、旧版の嗜好データテーブルの項目のユーザ嗜好情報をデフォルト値として受け継ぐ新版の嗜好データテーブルの項目について旧版及び新版の項目対応表を装備している。図１１の例では、該対応表には、新版の"札幌・室蘭"の項目番号５２は旧版の"道央"の項目番号５２に対応付けられ、新版の"イギリス"及び"フランス"の項目番号６２，６３は旧版の"西欧"の項目番号６２に対応付けられていると仮定する。
【００４５】
路側装置１５は、該対応表に基づき新版の嗜好データテーブルの所定項目に旧版の嗜好データテーブルの対応項目の嗜好データの値を付けるとともに、新版の嗜好データテーブルにおける改訂項目がどれかがＩＴＳ車載器１７のユーザに分からせるようにするための情報を該新版の嗜好データテーブルの情報と共に送信する。具体例としては、嗜好データテーブルの表示用テキスト（図６参照）に特定のテキスト（例：※）を特定の場所（例：先頭）に挿入する（例：※イギリス）。なお、嗜好データテーブルの表示用テキストは、嗜好データテーブルの各項目に対して１：１に対応している。図８の例では、新版の嗜好データテーブルの項目番号５２，６２，６３に改訂項目である旨の情報を嗜好データテーブルの情報に付加して、路側装置１５からＩＴＳ車載器１７へ送られる。
【００４６】
これに対して、ＩＴＳ車載器１７は、該特定のテキストが特定の場所に存在する項目については、該特定のテキストを削除して、残りのテキストだけをナビ部１９の画面に表示するとともに、該特定のテキストが挿入されていた項目のテキストを色付きや斜体等でナビ部１９の画面に表示する。この結果、ユーザは新版の嗜好データテーブルの改定項目を一目で理解し、そのデフォルト値を重点的に調べて、嗜好データの維持、又は変更を行うことになる。
【００４７】
図１２は路側装置５０のブロック図である。路側装置５０は、無線通信エリア内に進入した車載器へ嗜好データテーブルの情報をそのバージョン情報と共に送信するとともに、車載器からは該嗜好データテーブルに対するユーザ嗜好情報を含むアップリンク情報を受信する。路側装置５０は、車載器とＤＳＲＣでデータを送受するものに限定されない。路側装置５０は、保存手段５１、改訂項目探索手段５２、デフォルト値設定手段５３及びダウンリンク情報送信手段５４を備えている。
【００４８】
保存手段５１は、旧版の嗜好データテーブルに対するユーザ嗜好情報を記憶装置５８に保存させる。改訂項目探索手段５２は、新版の嗜好データテーブルの項目の内、旧版から改訂のあった項目を探索する。デフォルト値設定手段５３は、旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を、旧版の嗜好データテーブルの対応項目に対する今回の新版送信先ユーザの嗜好情報に設定する。ダウンリンク情報送信手段５４は、デフォルト値を設定した新版の嗜好データテーブルの情報を含むダウンリンク情報を車載器へ送信する。
【００４９】
嗜好データテーブルは、通常、サービス事業者が作成するので、旧版の嗜好データテーブルの項目と該項目に対するユーザ嗜好情報を受け継ぐ新版の嗜好データテーブルの項目との対応関係は該サービス事業者により支障なく作成される。旧版の嗜好データテーブルの項目と該項目に対するユーザ嗜好情報を受け継ぐ新版の嗜好データテーブルの項目との対応関係は、全ユーザに共通にしてもよいが、性別、年齢別、所得層別等、ユーザごとにきめ細かく用意することもできる。路側装置５０は、新版の嗜好データテーブルの送信先のユーザが誰であるかは、それに先立ち受信したユーザＩＤにより把握することができる。ユーザは、旧版で入力した自分の嗜好情報に沿ったデフォルト値を設定された嗜好データテーブルを路側装置５０から受けることができ、新版の嗜好データテーブルに対する入力の手間を軽減される。
【００５０】
好ましくは、デフォルト値設定手段５３は、対応関係からデフォルト値を設定できなかった改訂項目については、アップリンク情報に基づきデフォルト値を設定する。デフォルト値は、例えばアップリンク情報に含まれる立寄り地情報、目的地や経由地の情報に基づきが設定される。この具体例は、図９及び図１０に関連して説明した実施例である。
【００５１】
典型的には、ダウンリンク情報送信手段５４は、どれが改訂項目であるかを示す情報を新版の嗜好データテーブルの情報とともにダウンリンク情報に含めて送信する。どれが改訂項目であるかを示す情報は、タウンカーライフナビマルチコンテンツのフォーマットでは、例えば嗜好データテーブルの表示用テキストに挿入する。車載器は、該情報を識別して、改訂項目のテキストを色付きや斜体等、改訂のあったことをユーザに容易に分からせる態様で表示することができる。
【００５２】
図１３は路側装置制御方法６０のフローチャートである。路側装置制御方法６０は路側装置５０（図１２）に適用される。Ｓ６１では、旧版の嗜好データテーブルに対するユーザ嗜好情報を記憶装置５８に保存させる。Ｓ６２では、新版の嗜好データテーブルの項目の内、旧版から改訂のあった項目を探索する。Ｓ６３では、旧版の嗜好データテーブルの項目と該項目に対するユーザ嗜好情報を受け継ぐ新版の嗜好データテーブルの項目との対応関係に基づき新版の嗜好データテーブルの改定項目のデフォルト値を旧版の嗜好データテーブルの対応項目のユーザ嗜好情報に設定する。Ｓ６４では、デフォルト値を設定した新版の嗜好データテーブルの情報を含むダウンリンク情報を車載器へ送信する。
【００５３】
Ｓ６１〜Ｓ６４の処理は、路側装置５０（図１２）の保存手段５１〜ダウンリンク情報送信手段５４の機能にそれぞれ対応している。したがって、保存手段５１〜ダウンリンク情報送信手段５４の機能について述べた具体的態様はＳ６１〜Ｓ６４の処理についての具体的態様としても適用可能である。
【００５４】
本発明を適用したプログラムは、コンピュータを路側装置５０の各手段として機能させる。本発明を適用した別のプログラムは、路側装置制御方法６０の各ステップをコンピュータに実行させる。
【００５５】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００５６】
【図１】タウンカーライフナビマルチコンテンツ形式のデータに基づく路車間ＤＳＲＣシステムの概略図である。
【図２】タウンカーライフナビマルチコンテンツ形式のデータ伝送態様の説明図である。
【図３】ダウンリンクで使用する各ＩＤに割り当てる分類表である。
【図４】路側装置−ＩＴＳ車載器間のトランザクションで実施される各機器間の通信及び処理を示す図である。
【図５】ＩＴＳ車載器から路側装置へ送られるアップリンク情報のデータ概説明略図である。
【図６】路側装置からＩＴＳ車載器へ送信する嗜好データテーブルの一例を示す図である。
【００５７】
【図７】図６の嗜好データテーブルに基づきＩＴＳ車載器において生成された嗜好データテーブルである。
【図８】新旧のバージョンの嗜好データテーブルを対比して示す図である。
【図９】路側装置が自動車のエリアイン時に自動車の路側装置からアップリンク情報に含めて受信する自動車の立寄り地点情報を路側装置が整理した後の情報を示す図である。
【図１０】路側装置が設定している立寄り地点と嗜好データとの関係を示す図である。
【図１１】路側装置が新版の嗜好データテーブルにおける改訂項目について特別の情報をＩＴＳ車載器へ送信した場合にＩＴＳ車載器で表示される新旧の版の嗜好データテーブルの表示例を示す図である。
【図１２】路側装置のブロック図である。
【図１３】路側装置制御方法のフローチャートである。
【符号の説明】
【００５８】
５０：路側装置、５１：保存手段、５２：改訂項目探索手段、５３：デフォルト値設定手段、５４：ダウンリンク情報送信手段、５８：記憶装置、６０：路側装置制御方法。
【図１】
2009199371.tif 000003
【図２】
2009199371.tif 000004
【図３】
2009199371.tif 000005
【図４】
2009199371.tif 000006
【図５】
2009199371.tif 000007
【図６】
2009199371.tif 000008
【図７】
2009199371.tif 000009
【図８】
2009199371.tif 000010
【図９】
2009199371.tif 000011
【図１０】
2009199371.tif 000012
【図１１】
2009199371.tif 000013
【図１２】
2009199371.tif 000014
【図１３】
2009199371.tif 000015